【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
プロセスによって調製される髪アンカであって、前記プロセスによって、複数の髪アンカが単一の伸長金属管から形成される、前記プロセスは、
前記伸長金属管の伸長方向に少なくとも２つのスリットを形成することであって、各スリットは、少なくとも２つの髪アンカの予測端部分に跨架している、ことと、
前記少なくとも２つのスリットのそれぞれの第１の部分が、前記少なくとも２つの髪アンカのうちの１つの中に含有され、前記少なくとも２つのスリットのそれぞれの第２の部分が、後に前記伸長金属管から切除される後続の髪アンカに包含するために前記伸長金属管に取り付けられたままであるように、前記少なくとも２つのスリットに沿った中間場所において前記伸長金属管を切除することと
を含む、髪アンカ。
【請求項２】
前記少なくとも２つのスリットを形成することは、前記少なくとも２つのスリットを前記伸長金属管にレーザ切断することを含む、請求項１に記載の髪アンカ。
【請求項３】
前記プロセスは、前記伸長金属管を切除する前に前記伸長金属管に髪のストランドを挿入することをさらに含む、請求項１に記載の髪アンカ。
【請求項４】
前記少なくとも２つのスリットは、少なくとも２つの弾性部材を画定するように協働する、請求項１に記載の髪アンカ。
【請求項５】
前記少なくとも２つのスリットによって解離されていない管状本体部分をさらに含み、前記少なくとも２つの弾性部材は、前記管状本体部分と一体であり、かつそこから延在している、請求項４に記載の髪アンカ。
【請求項６】
前記プロセスは、各スリットに沿った前記中間場所においてスロットを形成することをさらに含み、前記スロットは、前記中間場所における前記金属管の切除を促進するように構成されている、請求項５に記載の髪アンカ。
【請求項７】
前記プロセスは、前記中間場所における切除時に少なくとも１つのバリを形成することを含む、請求項６に記載の髪アンカ。
【請求項８】
前記プロセスは、２つの隣接する管状本体部分の間で前記伸長金属管に切り込みを形成することをさらに含み、前記切り込みは、前記切り込みの場所における前記伸長金属管の切除を促進するように構成されている、請求項５に記載の髪アンカ。
【請求項９】
前記プロセスは、前記切り込みの切除の場所においてバリを形成することを含む、請求項８に記載の髪アンカ。
【請求項１０】
前記中間場所において切除する前に、前記少なくとも２つの弾性部材は、２つの予測髪アンカの２つの管状本体部分の間に延在している、請求項５に記載の髪アンカ。
【請求項１１】
前記プロセスは、前記中間場所において前記伸長金属管を切除する前に、前記少なくとも２つの弾性部材を前記伸長金属管の縦軸から分岐させるように、前記少なくとも２つの弾性部材を変形させることをさらに含む、請求項４に記載の髪アンカ。
【請求項１２】
少なくとも２つのスリットを形成することは、前記伸長金属管の壁に第１のスリットを切断することであって、前記第１のスリットは、概して前記伸長金属管の縦軸の方向に延在している、ことと、前記管壁に第２のスリットを切断することであって、前記第２のスリットは、概して前記第１のスリットに対向している、こととを含む、請求項１に記載の髪アンカ。
【請求項１３】
単一の伸長金属管から複数の髪アンカを形成するプロセスであって、前記プロセスは、
前記伸長金属管の伸長方向に少なくとも２つのスリットを形成することであって、各スリットは、少なくとも２つの髪アンカの予測端部分に跨架している、ことと、
前記少なくとも２つのスリットのそれぞれの第１の部分が、前記少なくとも２つの髪アンカのうちの１つの中に含有され、前記少なくとも２つのスリットのそれぞれの第２の部分が、後に前記伸長金属管から切除される後続の髪アンカに包含するために前記伸長金属管に取り付けられたままであるように、前記少なくとも２つのスリットに沿った中間場所において前記伸長金属管を切除することと
を含む、プロセス。
【請求項１４】
前記少なくとも２つのスリットを前記伸長金属管にレーザ切断することをさらに含む、請求項１３に記載のプロセス。
【請求項１５】
前記伸長金属管を切除する前に前記伸長金属管に髪のストランドを挿入することをさらに含む、請求項１３に記載のプロセス。
【請求項１６】
前記少なくとも２つのスリットは、前記髪アンカに少なくとも２つの弾性部材を画定するように協働する、請求項１３に記載のプロセス。
【請求項１７】
前記少なくとも２つのスリットによって解離されていない管状本体部分をさらに含み、前記少なくとも２つの弾性部材は、前記管状本体部分と一体であり、かつそこから延在している、請求項１６に記載のプロセス。
【請求項１８】
各スリットに沿った前記中間場所を横断してスロットを形成することをさらに含み、前記スロットは、前記中間場所における前記金属管の切除を促進するように構成されている、請求項１７に記載のプロセス。
【請求項１９】
前記中間場所における切除時に少なくとも１つのバリを形成することをさらに含む、請求項１８に記載のプロセス。
【請求項２０】
２つの隣接する管状本体部分の間で前記伸長金属管に切り込みを形成することをさらに含み、前記切り込みは、前記切り込みの場所における前記伸長金属管の切除を促進するように構成されている、請求項１７に記載のプロセス。
【請求項２１】
前記切り込みの切除の場所において少なくとも１つのバリを形成することをさらに含む、請求項２０に記載のプロセス。
【請求項２２】
前記中間場所において切除する前に、前記少なくとも２つの弾性部材は、２つの予測髪アンカの２つの管状本体部分の間に延在している、請求項１７に記載のプロセス。
【請求項２３】
前記中間場所において前記伸長金属管を切除する前に、前記少なくとも２つの弾性部材を前記伸長金属管の縦軸から分岐させるように、前記少なくとも２つの弾性部材を変形させることをさらに含む、請求項１６に記載のプロセス。
【請求項２４】
少なくとも２つのスリットを形成することは、前記伸長金属管の壁に第１のスリットを切断することであって、前記第１のスリットは、概して前記伸長金属管の縦軸の方向に延在している、ことと、前記管に第２のスリットを切断することであって、前記第２のスリットは、概して前記第１のスリットに対向している、こととを含む、請求項１３に記載のプロセス。
【手続補正２】
【補正対象書類名】明細書
【補正対象項目名】００３８
【補正方法】変更
【補正の内容】
【００３８】
前述の概要の技術的要素は、ある時は、簡略表記のみとして他の技術的詳細と組み合わせて説明される。発明の側面は、単独で、もしくは技術的詳細のうちの１つまたはそれを上回る他のものと組み合わせてのいずれかで、各個別技術的詳細にあると見なされることを理解されたい。したがって、上記で説明される要素の全ての順列および組み合わせは、本発明の範囲内と見なされるものとする。
本願明細書は、例えば、以下の項目も提供する。
（項目１）
複数の髪のストランドと、
各髪アンカが、単一の髪のストランドを保定し、それと関連付けられる少なくとも１つの弾性部材を有する、複数の髪アンカと、
各管腔が、各管腔の挿入軸に向かって関連する少なくとも１つの弾性部材を圧縮する様式で、単一の髪アンカを含有する、複数の管腔と、
各プッシャが、前記複数の管腔のうちの１つと関連付けられ、標的組織の中へ前記複数の髪アンカを同時に放出するように構成される、複数のプッシャであって、前記複数の管腔および前記複数のプッシャは、前記標的組織の中へ放出されるときに、前記複数の弾性部材を各管腔の前記挿入軸から同時に離れさせるために協働するように構成される、複数のプッシャと、
を備える、植毛アセンブリ。
（項目２）
前記複数の髪のストランドは、少なくとも２５本の髪のストランドを含み、前記複数の管腔は、少なくとも２５個の管腔を含み、前記複数の髪アンカは、複数の自己拡張式髪アンカを含み、前記複数のプッシャは、少なくとも２５個のプッシャを含む、項目１に記載の植毛アセンブリ。
（項目３）
前記複数の管腔は、前記複数の髪のストランドを実質的に共通の角度で前記標的組織に移植させるように構成される、項目１に記載の植毛アセンブリ。
（項目４）
実質的に共通の角度は、９０度ではない角度である、項目３に記載の植毛アセンブリ。
（項目５）
展開力を前記複数のプッシャのそれぞれに同時に伝達するための展開機構をさらに含む、項目１に記載の植毛アセンブリ。
（項目６）
アンカ放出力を前記複数の管腔内の各髪アンカに同時に伝えるように構成される、プランジャをさらに含む、項目１に記載の植毛アセンブリ。
（項目７）
前記複数の髪のストランドが通過する開口部を前記プランジャの側面にさらに含む、項目６に記載の植毛アセンブリ。
（項目８）
前記開口部を通過する前記複数の髪のストランドを保持するように構成される、髪ホルダをさらに含む、項目７に記載の植毛アセンブリ。
（項目９）
前記髪ホルダは、前記複数の髪のストランドの摺動に抵抗するために摩擦を前記髪のストランド上に印加するように構成される、スリットを含む、項目８に記載の植毛アセンブリ。
（項目１０）
前記複数の管腔は、複数の針と関連付けられ、各針は、軸力がそこに印加されるときに皮膚貫通を可能にする角度で切断される、先端を有する、項目１に記載の植毛アセンブリ。
（項目１１）
前記複数の針は、１列に配列される、項目１０に記載の植毛アセンブリ。
（項目１２）
前記複数のプッシャは、実質的に線に沿って、１列に前記複数の髪アンカを放出するように構成される、項目１１に記載の植毛アセンブリ。
（項目１３）
前記線は、実質的に直線である、項目１２に記載の植毛アセンブリ。
（項目１４）
前記針は、各針上の穿刺縁が、各他の針の穿刺縁に対して実質的に共通の回転配向で位置するように配列される、項目１０に記載の植毛アセンブリ。
（項目１５）
前記複数の針は、前記複数の髪のストランドを実質的に共通の９０度ではない角度で前記標的組織の表面から延在させるように、前記実質的に共通の９０度ではない角度で配向される、項目１０に記載の植毛アセンブリ。
（項目１６）
底部を有する筐体をさらに含み、前記複数の針は、それを通って延在するように構成されており、前記共通の９０度ではない角度は、前記筐体の底部に対するものである、項目１６に記載の植毛アセンブリ。
（項目１７）
前記標的組織を覆う皮膚と係合するように構成される接触表面をさらに含み、前記複数の針は、前記接触表面に対して前記共通の９０度ではない角度で配向される、項目１６に記載の植毛アセンブリ。
（項目１８）
前記髪のストランドは、合成材料で構築される、項目１に記載の植毛アセンブリ。
（項目１９）
前記複数の髪のストランドのそれぞれは、対応する髪アンカ、管腔、およびプッシャを通して螺入される、項目１に記載の植毛アセンブリ。
（項目２０）
標的組織の表面に対して９０度ではない角度で前記標的組織に髪のストランドを挿入するための植毛アセンブリであって、
前記標的組織を覆う皮膚と係合するように構成される、接触表面と、
前記接触表面に対して実質的に共通の９０度ではない角度で配向される、複数の中空針と、
軸力が前記複数の中空針のそれぞれに印加されるときに皮膚貫通を可能にする角度で切断される、複数の中空針先端と、
各髪アンカが前記複数の中空針のうちの１つ内に含有される、複数の髪アンカと、
各髪のストランドが前記複数の髪アンカのうちの１つ内に含有される、複数の髪のストランドと、
各プッシャが、前記複数の髪のストランドを前記実質的に共通の９０度ではない角度で前記皮膚から延在させるように、前記実質的に共通の９０度ではない角度に沿って前記複数の髪アンカを放出するために、前記複数の中空針のうちの１つと関連付けられる、複数のプッシャと、
を備える、アセンブリ。
（項目２１）
複数の髪のストランドと、
各中空針が、前記複数の髪のストランドのうちの１つを保持するアンカを含有する、複数の中空針と、
アンカ放出力を前記複数の中空針内の各アンカに同時に伝えるように構成される、プランジャと、
前記複数の髪のストランドが通過する前記プランジャの側面内の開口部と、
を備える、植毛アセンブリ。
（項目２２）
複数の針のそれぞれが、軸力がそこに印加されるときに皮膚貫通を可能にする角度で切断される中空針先端を含む、実質的に少なくとも１本の線において相互から離間される、複数の中空針と、
各髪アンカが前記複数の中空針のうちの１つ内に含有される、複数の髪アンカと、
各髪のストランドが前記複数の髪アンカのうちの１つ内に含有される、複数の髪のストランドと、
各プッシャが、実質的に前記少なくとも１本の線に沿って、少なくとも１つの列で前記複数の髪アンカを放出するために、前記複数の中空針のうちの１つと関連付けられる、複数のプッシャと、
を備える、植毛アセンブリ。
（項目２３）
前記少なくとも１本の線は、１本だけの線であり、前記少なくとも１つの列は、１つだけの列である、項目２２に記載の植毛アセンブリ。
（項目２４）
アレイに配列される、複数の中空針と、
前記複数の針上の複数の中空針先端であって、各中空針上の円周方向位置における場所で各針上に穿刺縁を形成するよう切断される、先端と、
前記針が通過するように構成される開口部を有する、支持体であって、前記針は、各針上の前記穿刺縁が、各他の中空針の前記穿刺縁に対して実質的に共通の回転配向で位置するように、前記支持体を通過するよう配列される、支持体と、
各髪アンカが前記複数の中空針のうちの１つ内に含有される、複数の髪アンカと、
各髪のストランドが前記複数の髪アンカのうちの１つ内に含有される、複数の髪のストランドと、
各プッシャが、前記中空針から前記複数の髪アンカを放出するために、前記複数の中空針のうちの１つと関連付けられる、複数のプッシャと、
を備える、植毛アセンブリ。